(57)【要約】【課題】  軽量かつ薄型であって、機器本体と一体化あるいは分割化させたいずれの場合でも優れた表示品質を発揮できる表示部を備えたリモコン装置を提供する。【解決手段】  本体装置２１に対して着脱自在であり、本体装置２１からの映像信号を受けて映像を表示する表示部４４と、映像信号を受信するとともに本体装置２１に対する制御信号を本体装置２１に送信するリモコン側送受信部と、表示部４４とリモコン側送受信部とを収納するとともに本体装置２１に係合するための係合部４３を有するリモコン筐体４２とを具備して構成され、表示部４４は、半透過型の液晶表示パネル４５と、液晶表示パネル４５の表示面４６と反対側の反対面４７に対向配置されて外部からの光を液晶表示パネル４５の反対面４７に導入させる透過窓４８とが備えられ、透過窓４８がリモコン筐体４２の係合部４３に配置されていることを特徴とするリモコン装置４１を採用する。【選択図】        図１
2005328365.tif 000002
【特許請求の範囲】
【請求項１】
映像撮像機器の本体装置に対して着脱自在であり、該本体装置からの映像信号を受けて映像を表示する表示部と、前記映像信号を受信するとともに前記本体装置に対する制御信号を前記本体装置に送信するリモコン側送受信部と、前記表示部と前記リモコン側送受信部とを収納するとともに前記本体装置に係合するための係合部を有するリモコン筐体とを具備して構成される前記本体装置のリモコン装置であり、
前記表示部は、半透過型の液晶表示パネルと、該液晶表示パネルの表示面と反対側の反対面に対向配置されて外部からの光を前記液晶表示パネルの反対面に導入させる透過窓とが備えられ、前記透過窓が前記リモコン筐体の係合部に配置されていることを特徴とするリモコン装置。
【請求項２】
前記リモコン側送受信部は、前記本体装置から分離されたときに前記映像信号および前記制御信号を送受信する無線送受信部と、前記本体装置に装着されたときに前記映像信号および前記制御信号を送受信する有線送受信部と、前記無線送受信部および前記有線送受信部を切換える切換部とから構成されることを特徴とする請求項１に記載のリモコン装置。
【請求項３】
前記有線送受信部には、前記係合部に配置されて前記本体装置に接続されるリモコン側接触端子が備えられていることを特徴とする請求項１に記載のリモコン装置。
【請求項４】
前記液晶表示パネルの表示面にフロントライト装置が装着されていることを特徴とする請求項１に記載のリモコン装置。
【請求項５】
本体装置と、該本体装置に対して着脱自在な請求項１ないし請求項４のいずれかに記載のリモコン装置とからなる映像撮像機器であり、
前記本体装置が、映像撮像部と、前記映像撮像部により形成された前記映像信号を送信するとともに前記リモコン装置からの前記制御信号を受信する本体側送受信部と、前記映像撮像部および前記本体側送受信部を収納するとともに前記リモコン装置の前記係合部と係合するための被係合部を有する本体筐体を具備して構成され、前記被係合部には、前記リモコン装置が装着されたときに前記透過窓にバックライト光を照射する光源部が備えられていることを特徴とする映像撮像機器。
【請求項６】
前記本体側送受信部は、前記リモコン装置が分離されたときに前記映像信号および前記制御信号を送受信する無線送受信部と、前記リモコン装置が装着されたときに前記映像信号および前記制御信号を送受信する有線送受信部と、前記無線送受信部および前記有線送受信部を切換える切換部とから構成されることを特徴とする請求項５に記載の映像撮像機器。
【請求項７】
前記有線送受信部には、前記被係合部に配置されて前記リモコン装置の前記リモコン側接触端子に接続される本体側接触端子が備えられていることを特徴とする請求項６に記載の映像撮像機器。
【発明の詳細な説明】
【技術分野】
【０００１】
本発明は、リモコン装置および映像撮像機器に関するものである。
【背景技術】
【０００２】
従来、デジタルビデオカメラや、デジタルスチルカメラ等の映像撮像機器には、操作性の向上を目的としてリモコン装置が付属している。例えば下記特許文献１には、機器本体と、この機器本体を遠隔操作可能なモニタ部を備えた制御装置（リモコン装置）とが備えられた映像の記録再生装置が開示されている。前記制御装置は、接続ケーブルによって機器本体に接続されている。また前記制御装置には、モニタ部の他にグリップ部が備えられ、またモニタ部には機器本体を遠隔操作するためのスイッチ類が備えられている。リモコン装置を前記機器本体から取り外して使用する場合、前記モニタ部は当該リモコン装置の表示部として用いられる。また、リモコン装置を機器本体と一体にして使用する場合、前記モニタ部は機器本体の表示部として使用される。
【特許文献１】特開２００１−３２０６２５号公報
【発明の開示】
【発明が解決しようとする課題】
【０００３】
ところで、映像撮像機器の表示部としては、バックライト装置を備えた透過型液晶表示装置を用いるのが一般的になっている。特に、これら映像撮像機器は屋外で使用される機会が多いため、前記表示部には、自然光よりも明るいバックライト装置が必須になっている。このような強力なバックライト装置を長時間駆動させるためには当然に大容量のバッテリが必要になる。
【０００４】
リモコン装置に大容量のバッテリを搭載させるとリモコン装置の重量が増大して機動性が低下するので、前記機器本体にバッテリを搭載させ、バックライト装置の駆動に必要な電力を前記リモコン装置に前記接続ケーブルを介して供給することになる。このため、映像撮像機器においては接続ケーブルが必須となり、結局リモコン装置の機動性を損ねてしまうという問題がある。また、映像撮像機器自体の重量も増大してしまう問題がある。更に、前記表示部にはバックライト装置が備えられるため表示部自体を薄型にすることができず、リモコン装置の小型化を図ることができないという問題もある。
【０００５】
本発明は、上記事情に鑑みてなされたものであり、軽量かつ薄型であって、機器本体と一体化あるいは分割化させたいずれの場合でも優れた表示品質を発揮できる表示部を備えたリモコン装置を提供するとともに、このリモコン装置を備えた映像撮像機器を提供することを目的とする。
【課題を解決するための手段】
【０００６】
上記の目的を達成するために、本発明は以下の構成を採用した。
本発明のリモコン装置は、映像撮像機器の本体装置に対して着脱自在であり、該本体装置からの映像信号を受けて映像を表示する表示部と、前記映像信号を受信するとともに前記本体装置に対する制御信号を前記本体装置に送信するリモコン側送受信部と、前記表示部と前記リモコン側送受信部とを収納するとともに前記本体装置に係合するための係合部を有するリモコン筐体とを具備して構成される前記本体装置のリモコン装置であり、前記表示部は、半透過型の液晶表示パネルと、該液晶表示パネルの表示面と反対側の反対面に対向配置されて外部からの光を前記液晶表示パネルの反対面に導入させる透過窓とが備えられ、前記透過窓が前記リモコン筐体の係合部に配置されていることを特徴とする。
【０００７】
上記構成によれば、半透過型の液晶表示パネルが備えられているので、リモコン装置が本体装置から分離されたときには外光を利用した反射表示を行ない、リモコン装置が本体装置に装着されたときには本体装置の光源からのバックライト光を透過窓を介して導入することで透過表示を行なうことができ、常に良好な表示品質を確保することができる。特に、リモコン装置を本体装置から分離させたときに外光を利用した反射表示を行なうので、リモコン装置自体に大容量のバッテリを搭載する必要がなく、リモコン装置の軽量化を図ることができる。
また表示部に液晶表示パネルを利用するので、リモコン装置を薄型にすることができる。更に、バックライト装置をリモコン装置に搭載する必要がなく、リモコン装置を軽量かつ薄型にすることができる。
【０００８】
また本発明のリモコン装置は、先に記載のリモコン装置であり、前記リモコン側送受信部は、前記本体装置から分離されたときに前記映像信号および前記制御信号を送受信する無線送受信部と、前記本体装置に装着されたときに前記映像信号および前記制御信号を送受信する有線送受信部と、前記無線送受信部および前記有線送受信部を切換える切換部とから構成されることを特徴とする。
【０００９】
上記構成によれば、無線送受信部と有線送受信部を切換えて使用するので、常に良好な送受信特性を維持することができる。また、リモコン装置と本体装置とを接続ケーブルで連結させる必要がなく、リモコン装置の機動性を高めることができる。
【００１０】
また本発明のリモコン装置は、先に記載のリモコン装置であり、前記有線送受信部には、前記係合部に配置されて前記本体装置に接続されるリモコン側接触端子が備えられていることを特徴とする。
【００１１】
上記構成によれば、リモコン側接触端子が係合部に配置されているので、リモコン装置を本体装置に装着させるだけでリモコン側の有線送受信部を本体装置に接続させることができる。
【００１２】
また本発明のリモコン装置は、先に記載のリモコン装置であり、前記液晶表示パネルの表示面にフロントライト装置が装着されていることを特徴とする。この構成によれば、リモコン装置を本体装置から分離させたときにフロントライト装置を作動させることで、より明るい表示を確保することができる。
【００１３】
次に、本発明の映像撮像機器は、本体装置と、該本体装置に対して着脱自在な先のいずれかに記載のリモコン装置とからなる映像撮像機器であり、前記本体装置が、映像撮像部と、前記映像撮像部により形成された前記映像信号を送信するとともに前記リモコン装置からの前記制御信号を受信する本体側送受信部と、前記映像撮像部および前記本体側送受信部を収納するとともに前記リモコン装置の前記係合部と係合するための被係合部を有する本体筐体を具備して構成され、前記被係合部には、前記リモコン装置が装着されたときに前記透過窓にバックライト光を照射する光源部が備えられていることを特徴とする。
【００１４】
上記構成によれば、半透過型の液晶表示パネルが備えられたリモコン装置を具備しているので、リモコン装置が本体装置から分離されたときには外光を利用した反射表示を行ない、リモコン装置が本体装置に装着されたときには本体装置の光源部からのバックライト光を透過窓を介して導入することで透過表示を行なうことができ、常に良好な表示品質を確保することができる。特に、リモコン装置を本体装置から分離させたときに外光を利用した反射表示を行なうので、リモコン装置自体に大容量のバッテリを搭載する必要がなく、リモコン装置の軽量化を図ることができる。
また表示部に液晶表示パネルを利用するので、リモコン装置を薄型にすることができる。更に、バックライト装置をリモコン装置に搭載する必要がなく、リモコン装置を軽量かつ薄型にすることができる。
【００１５】
また本発明の映像撮像機器は、先に記載の映像撮像機器であり、前記本体側送受信部は、前記リモコン装置が分離されたときに前記映像信号および前記制御信号を送受信する無線送受信部と、前記リモコン装置が装着されたときに前記映像信号および前記制御信号を送受信する有線送受信部と、前記無線送受信部および前記有線送受信部を切換える切換部とから構成されることを特徴とする。
【００１６】
上記構成によれば、無線送受信部と有線送受信部を切換えて使用するので、常に良好な送受信特性を維持することができる。また、リモコン装置と本体装置とを接続ケーブルで連結させる必要がなく、リモコン装置の機動性を高めることができる。
【００１７】
また本発明の映像撮像機器は、先に記載の映像撮像機器であり、前記有線送受信部には、前記被係合部に配置されて前記リモコン装置の前記リモコン側接触端子に接続される本体側接触端子が備えられていることを特徴とする。
【００１８】
上記構成によれば、本体側接触端子が被係合部に配置されているので、リモコン装置を本体装置に装着させるだけで本体側の有線送受信部をリモコン装置に接続させることができる。
【発明の効果】
【００１９】
以上説明したように、本発明のリモコン装置およびこのリモコン装置を備えた映像撮像機器によれば、軽量かつ薄型であって、本体装置と一体化あるいは分割化させたいずれの場合でも優れた表示品質を発揮できる表示部を備えたリモコン装置を提供するとともに、このリモコン装置を備えた映像撮像機器を提供することができる。
【発明を実施するための最良の形態】
【００２０】
以下、本発明の実施の形態を図面を参照して説明する。図１には本実施形態の映像撮像機器の一例であるデジタルスチルカメラの模式図を示し、図２には本実施形態のデジタルスチルカメラに備えられたリモコン装置の模式図を示し、図３には本実施形態のデジタルスチルカメラの基本的な回路構成を模式図で示し、図４には本実施形態のデジタルスチルカメラの回路構成の要部を模式図で示す。
【００２１】
図１Ａないし図１Ｃに示すように、本実施形態のデジタルスチルカメラ１（映像撮像機器）は、本体装置２１と、この本体装置２１に着脱自在であるリモコン装置４１とから概略構成されている。
【００２２】
図１Ａないし図１Ｄに示すように、本体装置２１は、後述する映像撮像部や本体側送受信部等が例えば略直方体状の本体筐体２２内に収納されて構成されている。本体筐体２２の操作面２２ａには、凹部２３（被係合部）が設けられ、この凹部２３にリモコン装置４１が装着できるようになっている。また本体筐体２２の操作面２２ａには、撮影画像を確認するためのファインダ２７が備えられている。また、操作面２２ａと反対側の撮影面２２ｂには映像撮像部を構成する撮影レンズ２６が備えられている。撮影レンズ２６で捉えた撮影画像はファインダ２７で確認できるように構成されている。
【００２３】
また図１Ｂに示すように、被係合部である凹部２３内には、リモコン装置４１の表示部にバックライト光を照射するための光源部２４が備えられている。更に凹部２３内にはリモコン装置４１との間で信号を有線で送受信するための本体側接触端子２５が備えられている。更に図１Ｄに示すように、本体筐体２２の撮影面２２ｂには、リモコン装置４１との間で信号を無線で送受信するための発光受光部２９ａが備えられている。
【００２４】
次に、図１Ａないし図１Ｃ並びに図２に示すように、本実施形態に係るリモコン装置４１は、後述する表示部やリモコン側送受信部等が例えば略直方体状のリモコン筐体４２に収納されて構成されている。リモコン筐体４２には、操作表示面４２ａと、この操作表示面４２ａを除いた背面４２ｂならびに側面４２ｃからなる係合部４３とを有して構成されている。このリモコン装置４１は、背面４２ｂおよび側面４２ｃからなる係合部４３を本体装置２１の凹部２３（被係合部）に挿入させることで、本体装置２１に装着できるようになっている。また、リモコン装置４１が本体装置２１に装着されたときに、リモコン装置４１の操作表示面４２ａと本体装置２１の操作面２２ａとが同一面を形成するように構成されている。これにより、リモコン装置４１が本体装置２１に対してほぼ一体に装着されるように構成されている。
【００２５】
次に、リモコン装置４１には、液晶表示パネル４５と透過窓４８とからなる表示部４４が備えられている。液晶表示パネル４５は、その表示面４６がリモコン筐体４２の操作表示面４２ａに位置するようにリモコン筐体４２内に内蔵されている。また、透過窓４８は、液晶表示パネル４５の表示面４６と反対側の反対面４７に対向配置されている。また、透過窓４８は、係合部４３を構成するリモコン筐体４２の背面４２ｂに配置されている。透過窓４８は例えば透明の樹脂板で構成されている。以上の構成により、透過窓４８を介してリモコン筐体４２の背面４２ｂ側から、液晶表示パネル４５に外部光を導入できるようになっている。
【００２６】
また、リモコン筐体４２の係合部４３をなす背面４２ｂには、本体装置２１との間で信号を有線で送受信するためのリモコン側接触端子４９が備えられている。更にリモコン筐体４２の一側面４２ｃ１には、本体装置２１との間で信号を無線で送受信するための発光受光部５１ａが備えられている。
【００２７】
また図１Ｂおよび図１Ｃに示すように、本体装置２１にリモコン装置４１が装着された場合において、リモコン装置４１の透過窓４７が本体装置２１の光源部２４に対向配置されるように構成されている。これにより、光源部２４からバックライト光を透過窓４７を介して液晶表示パネル４６に照射できるように構成されている。更に、本体装置２１にリモコン装置４１が装着された場合において、リモコン装置のリモコン側接続端子４９が本体装置２１の本体側接触端子２５に接触されるように構成されている。これにより、各接続端子４９、２５を介してリモコン装置４１と本体装置２１との間で信号を有線で送受信できるようになっている。
【００２８】
次に、図３に示すように、本体装置２１には、本体側送受信部２８が備えられている。本体側送受信部２８は、映像撮像部２６からの映像信号を記録する映像記録部３２と、無線送受信部２９と、有線送受信部３０と、切換部３１とから概略構成されている。映像記録部３２は映像撮像部２６から送られた映像信号を記録するとともに、この映像信号を切換部３１に送る。切換部３１は、映像信号を無線送受信部２９または有線送受信部３０のいずれか一方に送る。
【００２９】
無線送受信部２９は、映像信号を光信号に変換するデータ変換部２９ｂと、このデータ変換部２９ｂに接続された前記の発光受光部２９ａとから構成されている。発光受光部２９ａは、発光送信部２９ａ１と受光受信部２９ａ２とから構成されている。発光送信部２９ａ１には例えば赤外線発光ダイオードが用いられ、受光受信部２９ａ２には例えばフォトトランジスタ若しくはフォトダイオードが用いられる。また有線送受信部３０には前記の本体側接触端子２５が備えられている。
【００３０】
また切換部３１は、リモコン装置４１が本体装置２１から分離された場合において、無線送受信部２９と映像記録部３２とを接続させ、リモコン装置４１が本体装置２１に装着された場合において、有線送受信部３０と映像記録部３２とを接続させる。
【００３１】
更にファインダ２７は映像記録部３２に接続されている。ファインダ２７は、映像記録部３２を介して映像撮像部２６で撮影した画像を本体装置２１側で確認できるようになっている。
【００３２】
以上の構成により、リモコン装置４１が本体装置２１から分離された場合において、本体側送受信部２８は、映像撮像部２６により形成された映像信号を、映像記録部３２、切換部３１、データ変換部２９ｂ、発光送信部２９ａ１を順次介して赤外光に変換し、これをリモコン装置４１に送信できるようになっている。
また、本体送受信部２８は、リモコン装置４１から赤外光として送られた制御信号を、受光受信部２９ａ２、データ変換部２９ｂ、切換部３１を順次介して通常の電気信号に変換して受信できるようになっている。
【００３３】
更に、リモコン装置４１が本体装置２１に装着された場合において、本体側送受信部２８は、映像撮像部２６により形成された映像信号を、映像記録部３２、切換部３１、本体側接触端子２５を順次介してリモコン装置４１に送信できるようになっている。
また、本体送受信部２８は、リモコン装置４１から赤外光を伝送媒体として送られた制御信号を、本体側接触端子２５、切換部３１を順次介して受信できるようになっている。
【００３４】
このように本体側送受信部２８は、リモコン装置４１が本体装置２１から分離されたときには無線送受信部２９によって映像信号および制御信号の送受信を行ない、リモコン装置４１が装着されたときには有線送受信部３０によって映像信号および制御信号の送受信を行なうようになっている。なお、受信された制御信号によって本体装置２１の各部の動作が制御される。
【００３５】
次に図３に示すように、リモコン装置４１には、リモコン側送受信部５０が備えられている。リモコン側送受信部５０は、無線送受信部５１と、有線送受信部５２と、切換部５３とから概略構成されている。また、リモコン装置４１には、操作スイッチ５４と、この操作スイッチ５４の操作状態を制御信号に変換する制御回路５５が備えられている。制御回路５５は液晶表示パネル４５に接続されており、液晶表示パネル４５に制御信号を送ることで操作スイッチ５４の操作状態を液晶表示パネル４５に表示させるようになっている。また制御回路５５は、切換部５３を介して無線送受信部５１および有線送受信部５２に接続されており、制御信号を無線送受信部５１または有線送受信部５２に伝送できるようになっている。
【００３６】
無線送受信部５１は、制御信号を光信号に変換するデータ変換部５１ｂと、このデータ変換部５１ｂに接続された前記の発光受光部５１ａとから構成されている。発光受光部５１ａは、発光送信部５１ａ１と受光受信部５１ａ２とから構成されている。発光送信部５１ａ１には例えば赤外線発光ダイオードが用いられ、受光受信部５１ａ２には例えばフォトトランジスタ若しくはフォトダイオードが用いられる。また有線送受信部５２には前記のリモコン側接触端子４９が備えられている。
【００３７】
また切換部５３は、リモコン装置４１が本体装置２１から分離された場合において、無線送受信部５１と制御回路５５とを接続させ、リモコン装置４１が本体装置２１に装着された場合において、有線送受信部５２と制御回路５５とを接続させる。
【００３８】
以上の構成により、リモコン装置４１が本体装置２１から分離された場合において、リモコン側送受信部５０は、制御回路５５により形成された制御信号を、切換部５３、データ変換回路５１ｂ、データ送信部５１ａ１を順次介して赤外光に変換し、これを本体装置２１に送信できるようになっている。
また、リモコン送受信部５０は、本体装置２１から赤外光として送られた映像信号を、データ受信部５１ａ２、データ変換部５１ｂ、切換部５３を順次介して通常の電気信号に変換して受信できるようになっている。
【００３９】
更に、リモコン装置４１が本体装置２１に装着された場合において、リモコン側送受信部５０は、制御回路５５により形成された制御信号を、切換部５３およびリモコン側接触端子４９を順次介して本体装置２１に送信できるようになっている。
また、リモコン側送受信部５０は、本体装置２１から送られた映像信号を、リモコン側接触端子４９および切換部５３を介して受信できるようになっている。
【００４０】
以上のように、リモコン側送受信部５０は、リモコン装置４１が本体装置２１から分離されたときには無線送受信部５１によって映像信号および制御信号の送受信を行ない、リモコン装置４１が本体装置２１に装着されたときには有線送受信部５２によって映像信号および制御信号の送受信を行なうようになっている。なお、受信された映像信号は制御回路５５に送られて液晶表示パネル４５に映像として表示される。
【００４１】
また前述したように、本体装置２１にリモコン装置４１が装着された場合において、透過窓４７が光源部２４に対向配置されるように構成されている。これにより、光源部２４から透過窓４７を介して液晶表示パネル４６にバックライト光を照射できるように構成されている。
【００４２】
次に、図４により本体装置２１およびリモコン装置４１の回路構成について更に詳細に説明する。
本実施形態のデジタルスチルカメラ１においては、リモコン装置４１に設置した液晶表示パネル４６の表示を見ながら、画面のフレーム調整をして、遠隔操作で本体装置２１を制御して画像撮像を行うことが可能である。この場合、本体装置２１とリモコン装置の間の信号の送受信は、上述したように無線送受信部２９、５１により行なう。無線送受信部２９、５１間の送受信は赤外光を利用する。この場合、信号のやり取りにおいて、赤外光の指向性が強すぎると、リモコン操作可能な範囲が限定されてしまうため、受光範囲をある程度広げるような工夫も必要になる。その一例を図４に示す。
【００４３】
図４に示すように、本体装置２１には、映像撮像部２６を構成する撮像ユニット２６ａと、該ユニット２６ａから得られる映像信号を記録するメモリ等からなる前記画像記録部３２と、撮像対象を確認する前記ファインダ２７を構成するファインダ用液晶表示装置２７ａとが備えられている。
また本体装置２１には、映像信号を伝送（例えば光による伝送）するための手段として、撮像ユニット２６ａで得られた映像信号を搬送波変調する例えばＦＭ変調回路からなる前記データ変換部２９ｂと、信号を光信号（例えば赤外線信号）に変換する例えば赤外線発光ダイオードからなる前記発光送信部２９ａ１と、伝送波の照射方向を制御する集光レンズ等の発光用光学素子３３ａが備えられている。発光用光学素子３３ａは、アクチュエータ３３ｂを介して発光用光学素子制御回路３３ｃにより駆動され、伝送波の照射方向を制御できるようになっている。
【００４４】
さらに本体装置２１には、リモコン装置４１からの赤外光による制御信号を受信するフォトトランジスタ、フォトダイオード等からなる前記受光受信部２９ａ２と、受光受信部２９ａ２の出力に対応して図示略の光学素子（例えば集光レンズ）を位置調整（受光受信部２９ａ２からの出力ができるだけ大きくなるように受光受信部２９ａ２の位置を調整）するとともに撮像ユニット２６ａの動作を制御する（映像撮像部を構成する）カメラ制御回路２６ｃと、受光受信部２９ａ２の調整された位置をファインダ２７内に表示するための視点マーク発生回路２７ｂ2が設けられている。また、リモコン装置４１から発せられた制御信号により、撮像ユニット２６ａを制御するための（映像撮像部を構成する）アクチュエータ２６ｂも備えられている。
【００４５】
また、本体装置２１には、リモコン装置４１を一体に収納した際に液晶表示パネル４６の背面位置に対応するような位置に、バックライト（背面照明）ユニット等の光源部２４が備えられている。このバックライトユニットは、本体内の電源２４ａにより直接、間接あるいは導光板を用いたエッジライト型等の形式が採用される。
【００４６】
一方、リモコン装置４１には、本体装置２１からの赤外光を電気信号に変換するための例えばフォトダイオード等からなるデータ受信部５１ａ２と、データ受信部５１ａ２から映像信号を取り出すための信号処理フィルタ５５ａ（例えばＦＭ変調された画像信号の場合はハイパスフィルタ）と、信号処理フィルタ５５ａで処理された信号を画像信号に戻すための映像復調回路５５ｂと、半透過型の液晶表示パネル４６と、液晶表示パネル４６の駆動回路４６ａ等が搭載される。
そしてさらに、各種のリモコンキー５４（制御スイッチ）、データ受信部５１ａ２とデータ送信部５１ａ１の出力レベルをチェック・調整するためのゲイン調整回路５６、リモコンキー５４の命令に応じた動作指示コード及びゲイン調整に応じて本体装置２１に設けた受光受信部２９ａ２の図示略の光学素子（集光レンズ）の位置調整制御信号を発生する制御コード発生器５５ｃ、さらにこの位置制御信号を含む各種制御信号を本体装置２１に送信するためのデータ送信部５１ａ１（例えば赤外線ＬＥＤ）等も設けられている。なお、映像信号処理フィルタ５５ａ、映像復調回路５５ｂ、制御コード発生回路５５ｃにより先の制御回路５５が構成される。
【００４７】
次に図５には、本実施形態のリモコン装置４１に備えられる液晶表示パネル４５の断面模式図を示す。この液晶表示パネル４６は、液晶層１３０を挟んで第１基板１２０と第２基板１１０とが対向配置されて構成されている。第１基板１２０の外側面は表示面４６とされている。また第２基板１１０には反射体１０１が組み込まれている。
【００４８】
第２基板１１０は下層から順に、ガラス基板１１１、反射体１０１、透明介在層１１３、カラーフィルタ層１１４、透明平坦化層１１５、ＩＴＯ（Indium  Tin  Oxide）膜またはネサ膜などからなる透明電極１１６、および配向層１１７が積層されている。また液晶層１３０を挟んで表示面側に対向配置される第１基板１２０は、液晶層１３０の側から順に配向層１２１、絶縁層１２２、ＩＴＯ膜またはネサ膜などからなる透明電極１２３、ガラス基板１２４、および光学変調層（偏光板、位相差板など）１２５が積層されて構成されている。液晶層１３０を挟む透明電極１１６と透明電極１２３とは、互いに直交するストライプ状に形成されていてその交点領域が画素となる単純マトリックス型の液晶装置を構成している。
【００４９】
次に図６には反射体１０１の斜視図を示す。図６に示す反射体１０１は、平板状の基材１０２の表面Ｓ（基準面）に多数の光反射性を有する凹部１０３ａ、１０３ｂ、１０３ｃ（一般に凹部１０３と称する）が互いに不規則に隣接して形成されている。凹部１０３の内面を含む表面Ｓには、例えば反射性の金属層が設けられている。また、表面Ｓには、図示略の複数の開口部が所定の開口率で設けられており、この開口部によって基材１０２の裏側から光を透過できるようになっている。このようにして本実施形態の反射体１０１は、いわゆる半透過反射型の反射体とされている。
【００５０】
凹部１０３は、斜視図を図７に、また断面図を図８に示すように、凹部１０３の特定縦断面Ｘにおける内面形状が、凹部の一の周辺部Ｓ１から最深点Ｄに至る第１曲線Ａと、この第１曲線Ａに連続して、凹部の最深点Ｄから他の周辺部Ｓ２に至る第２曲線Ｂとからなっている。これら両曲線は、最深点Ｄにおいて共に基材表面Ｓに対する傾斜角がゼロとなり、互いにつながっている。
第１曲線Ａの基材表面Ｓに対する傾斜角は第２曲線Ｄの傾斜角よりも急であって、最深点Ｄは凹部３の中心Ｏからｘ方向にずれた位置にある。すなわち、第１曲線Ａの基材表面Ｓに対する傾斜角の絶対値の平均値は、第２曲線Ｂの基材表面Ｓに対する傾斜角の絶対値の平均値より大きくなっている。凹部１０３ａ、１０３ｂ、１０３ｃにおける第１曲線Ａの基材表面Ｓに対する傾斜角の絶対値の平均値は１〜８９゜の範囲で不規則にばらついている。また、凹部１０３ａ、１０３ｂ、１０３ｃにおける第２曲線Ｂの基材表面Ｓに対する傾斜角の絶対値の平均値は０．５〜８８゜の範囲で不規則にばらついている。
両曲線の傾斜角は、いずれもなだらかに変化しているので、第１曲線Ａの最大傾斜角δmax（絶対値）は、第２曲線の最大傾斜角（絶対値）δｂよりも大きくなっている。また、第１曲線Ａと第２曲線Ｂとが接する最深点Ｄの基材表面に対する傾斜角はゼロとなっており、傾斜角が負の値である第１曲線Ａと傾斜角が正の値である第２曲線Ｂとは、なだらかに連続している。
本実施形態の反射体において、凹部１０３ａ、１０３ｂ、１０３ｃにおけるそれぞれの最大傾斜角δmaxは、２〜９０゜の範囲内で不規則にばらついている。しかし多くの凹部は最大傾斜角δmaxが４°〜３５°の範囲内で不規則にばらついている。
【００５１】
またこの凹部１０３は、その凹面が単一の極小点（傾斜角がゼロとなる曲面上の点）Ｄを有している。そしてこの極小点Ｄと基材の基材表面Ｓとの距離が凹部１０３の深さｄを形成し、この深さｄは、凹部３ａ、３ｂ、３ｃ、ノについてそれぞれ０．１μｍ〜３μｍの範囲内で不規則にばらついている。
【００５２】
本実施形態においては、凹部１０３ａ、１０３ｂ、１０３ｃにおける各特定縦断面Ｘは、いずれも同じ方向になっている。また、各々の第１曲線Ａが単一の方向に配向するように形成されている。すなわち、何れの凹部でも、図７、図８に示すｘの方向が同一になるように形成されている。
【００５３】
上記の液晶表示パネル４５は、ｘ方向を上にしてリモコン装置４１に組み込まれる。これにより、リモコン装置４１の使用時において、それぞれの凹部における第１曲線Ａが、観察者から見て第２曲線Ｂよりも上方に位置するように設けられる。そして、観察者は、この液晶表示パネル４５を、水平よりも斜め上方から見下ろすのが通常である。
この場合、主として上方から入射する外光の反射光は、主として第２曲線Ｂ周辺の面で反射されるので、観察者の足下の方向には反射しにくくなり、正反射の方向よりも上の方向に重点的に反射するようになる。このため、観察者の通常の観察範囲と明るい表示範囲とが一致して、実用上、明るい表示パネルを実現することができる。
【００５４】
また液晶表示パネル４５は上述の半透過反射型の反射体１０１を備えているので、液晶表示パネル４５の背面４７に透過窓４８を介して本体装置２１の光源部２４を配置すれば、リモコン装置４１を本体装置２１に装着させたときに光源部２４のバックライト光を利用した透過表示をすることができる。また、リモコン装置４１を本体装置２１から外したときには反射表示をすることができる。
【００５５】
また第１基板１２０の表示面４６側にフロントライト装置を設ければ、外光が明るいときには外光のみを利用し、外光が暗くなったときには前記フロントライトを点灯するようなフロントライト型の液晶表示パネルが得られる。このフロントライト型の液晶表示パネルも本発明に含まれる。
【００５６】
本実施形態のリモコン装置４１によれば、半透過型の液晶表示パネル４６が備えられているので、リモコン装置４１が本体装置２１から分離されたときには外光を利用した反射表示を行ない、リモコン装置４１が本体装置に装着されたときには本体装置２１の光源部２４からのバックライト光を透過窓４８を介して導入することで透過表示を行なうことができ、常に良好な表示品質を確保することができる。特に、リモコン装置４１を本体装置２１から分離させたときに外光を利用した反射表示を行なうので、リモコン装置２１自体に大容量のバッテリを搭載する必要がなく、リモコン装置２１の軽量化を図ることができる。
また表示部４４に液晶表示パネル４５を利用するので、リモコン装置４１を薄型にすることができる。更に、バックライト装置をリモコン装置４１に搭載する必要がなく、リモコン装置４１を軽量かつ薄型にすることができる。
【００５７】
また上記のリモコン装置４１によれば、本体装置２１から分離されたときに映像信号および制御信号を送受信する無線送受信部５１と、本体装置２１に装着されたときに映像信号および制御信号を送受信する有線送受信部５２が備えられているので、常に良好な送受信特性を維持することができる。また、リモコン装置と本体装置とを接続ケーブルで連結させる必要がなく、リモコン装置の機動性を高めることができる。
【００５８】
また、リモコン装置４１を本体装置２１に装着させるだけでリモコン側接触端子４９と本体側接触端子２５とが相互に接触するので、リモコン装置４１の装着時において、これら接触端子を介して制御信号等の送受信を行なうことができる。
【００５９】
なお、本発明の技術範囲は上記実施の形態に限定されるものではなく、本発明の趣旨を逸脱しない範囲において種々の変更を加えることが可能である。例えば本発明のリモコン装置は、動画あるいは音声も記録する機器、例えばデジタルビデオカメラ等に対しても同様に適用可能である。この場合には、本体装置２１の撮像ユニット２６ａが動画用ビデオカメラとなり、更に音声マイク等が追加される。そして、画像信号に加えて音声信号についても変調回路或いは画像信号と音声信号を重畳するための加算器等が追加される。また、リモコン装置にもそれに対応して、音声信号用の帯域フィルタ、復調回路等が追加される。
【００６０】
またこの場合、リモコン装置には音声を確認するためのイヤホーン端子を設けても良いし、或いはまたＰＺＴ素子による薄膜スピーカを設置したり、或いは分散モードフラットパネルスピーカーを用いても良い。
図９には、デジタルビデオカメラ用のリモコン装置を示す。図９に示すリモコン装置は、リモコンキー（制御スイッチ）の種類と数が異なる点を除いて、図２に示すリモコン装置とほぼ同一構成である。
【図面の簡単な説明】
【００６１】
【図１】図１は本発明の実施形態であるデジタルスチルカメラを示す図であって、Ａは本体装置とリモコン装置を一体化させたときの斜視図であり、Ｂはリモコン装置を取り外した状態を示す斜視図であり、Ｃはデジタルスチルカメラの側面図であり、Ｄはデジタルスチルカメラを別方向から見た斜視図である。
【図２】図２は本発明の実施形態であるリモコン装置の一例を示す図であって、Ａは正面図であり、Ｂは裏面図であり、Ｃは側面図である。
【図３】図３は本発明の実施形態であるデジタルスチルカメラの回路を示す回路図である。
【図４】図４は本発明の実施形態であるデジタルスチルカメラの回路を示す回路図である。
【図５】図５は本発明の実施形態であるリモコン装置に備えられた液晶表示パネルを示す拡大断面模式図である。
【図６】図６は図５の液晶表示パネルに備えられた反射体を示す斜視図である。
【図７】図７は図６の反射体に設けられた凹部を示す斜視図である。
【図８】図８は図６の反射体に設けられた凹部を示す断面図である。
【図９】図９は本発明の実施形態のリモコン装置の別の例を示す図であって、Ａは正面図であり、Ｂは裏面図であり、Ｃは側面図である。
【符号の説明】
【００６２】
１…デジタルスチルカメラ（映像撮像機器）、２１…本体装置、２２…本体筐体、２３…被係合部、２４…光源部、２５…本体側接触端子、２６…映像撮像部、２７…ファインダ、２８…本体側送受信部、２９…無線送受信部、３０…有線送受信部、３１…切換部、４１…リモコン装置、４２…リモコン筐体、４３…係合部、４４…表示部、４５…液晶表示パネル、４６…表示面、４７…反対面、４８…透過窓、４９…リモコン側接触端子、５０…リモコン側送受信部、５１…無線送受信部、５２…有線送受信部、５３…切換部
【図１】
2005328365.tif 000003
【図２】
2005328365.tif 000004
【図３】
2005328365.tif 000005
【図４】
2005328365.tif 000006
【図５】
2005328365.tif 000007
【図６】
2005328365.tif 000008
【図７】
2005328365.tif 000009
【図８】
2005328365.tif 000010
【図９】
2005328365.tif 000011